(57)【特許請求の範囲】
【請求項１】
ネットワークに接続されるネットワーク制御部と、
前記ネットワーク制御部を制御するメイン制御部と、
予め設定された時刻情報を記憶し、かつ、時刻を計測し、記憶した前記時刻情報と計測した時刻とを比較して当該比較に結果に基づいて電力モードの移行のトリガーとなる移行指令を出力する時計回路部と、
移行すべき電力モードを示す移行情報を記憶し、前記移行指令を前記時計回路部から検知するサブ制御部と、
前記メイン制御部への電源の供給を停止する第一省電力モードと、前記メイン制御部および前記ネットワーク制御部への電力の供給を停止する第二省電力モードとを切り替えるモード切替部と
を備え、
前記メイン制御部は、前記第一省電力モードに移行する時に、前記移行情報を前記サブ制御部に送信し、
前記時計回路部は、前記比較に基づいて現在時刻が前記時刻情報で指定される時刻になったと判定した場合に、前記移行指令を前記サブ制御部に送信し、
前記サブ制御部は、前記第一省電力モードの間において前記移行指令を検知した場合に、前記移行情報に応じて、前記第一省電力モードから通常モードへの移行と、前記第一省電力モードから前記第二省電力モードへの移行とを前記モード切替部に切り替えさせることにより選択的に制御し、
前記メイン制御部は、
時刻が指定された予約ジョブがある場合には、通常モードへの移行を示す通常移行情報を前記サブ制御部に設定し、かつ、前記予約ジョブにより指定される時刻情報を前記時計回路部に設定し、
時刻が予定された予約ジョブがない場合には、前記第二省電力モードへの移行を示す第二省電力移行情報を前記サブ制御部に設定し、かつ、予め設定された前記第二省電力モードへの移行時刻情報を前記時計回路部に設定する
画像処理装置。
【請求項２】
さらに、
ファクシミリ呼出信号を検出するファクシミリ通信部を備え、
前記ファクシミリ通信部は、前記第一省電力モードおよび前記第二省電力モードにおいても電源が供給され、
前記サブ制御部は、前記ファクシミリ通信部が検出するファクシミリ呼出信号が前記サブ制御部に入力された場合に、前記メイン制御部を前記通常モードに復帰させる
請求項１に記載の画像処理装置。
【請求項３】
さらに、
前記第一省電力モードおよび前記第二省電力モードのいずれにおいても、電力が供給されるキー操作部を備え、
前記サブ制御部は、ユーザにより前記キー操作部からのキー操作信号が前記サブ制御部に入力された場合に、前記メイン制御部を前記通常モードに復帰させる
請求項１または２に記載の画像処理装置。
【請求項４】
ネットワークに接続されるネットワーク制御部と、前記ネットワーク制御部を制御するメイン制御部と、予め設定された時刻情報を記憶し、かつ、時刻を計測し、記憶した前記時刻情報と計測した時刻とを比較して当該比較に結果に基づいて電力モードの移行のトリガーとなる移行指令を出力する時計回路部と、移行すべき電力モードを示す移行情報を記憶し、前記移行指令を前記時計回路部から検知するサブ制御部と、前記メイン制御部への電源の供給を停止する第一省電力モードと、前記メイン制御部および前記ネットワーク制御部への電力の供給を停止する第二省電力モードとを切り替えるモード切替部とを備える画像処理装置において行われる画像処理方法であって、
前記メイン制御部が、前記第一省電力モードに移行する時に、前記移行情報を前記サブ制御部に送信する移行情報送信ステップと、
前記時計回路部が、前記比較に基づいて現在時刻が前記時刻情報で指定される時刻になったと判定した場合に、前記移行指令を前記サブ制御部に送信する移行指令送信ステップと、
前記サブ制御部が、前記第一省電力モードの間において前記移行指令を検知した場合に、前記移行情報に応じて、前記第一省電力モードから通常モードへの移行と、前記第一省電力モードから前記第二省電力モードへの移行とを前記モード切替部に切り替えさせることにより選択的に制御する選択ステップと、を含み、
前記移行情報送信ステップでは、
時刻が指定された予約ジョブがある場合には、前記メイン制御部が、通常モードへの移行を示す通常移行情報を前記サブ制御部に設定し、かつ、前記予約ジョブにより指定される時刻情報を前記時計回路部に設定し、
時刻が予定された予約ジョブがない場合には、前記メイン制御部が、前記第二省電力モードへの移行を示す第二省電力移行情報を前記サブ制御部に設定し、かつ、予め設定された前記第二省電力モードへの移行時刻情報を前記時計回路部に設定する
画像処理方法。
【請求項５】
請求項４に記載の画像処理方法に含まれるステップをコンピュータに実行させるためのプログラム。
【発明の詳細な説明】
【技術分野】
【０００１】
本発明は、省電力モードを有する画像処理装置、画像処理方法およびプログラムに関するものである。
【背景技術】
【０００２】
従来、待機時の消費電力を抑えるための省電力モードを備える画像処理装置が知られている。このような画像処理装置の一例として、メインＣＰＵと、サブＣＰＵとを備えるシステムがある。このようなシステムでは、省電力モード中においては、メインＣＰＵを省電力モードにするか、もしくは電力供給を行わない状態とし、消費電力が小さいサブＣＰＵには通常の電力供給を行ったままの状態で省電力モードからの復帰要因を監視しつつ待機することが一般的である。
【０００３】
また、ネットワーク機能を持つ情報処理システムでは、ネットワーク処理専用のＣＰＵ（ネットワークＣＰＵ）が用いられることもある。ネットワークＣＰＵは高性能であることが求められることが多く、それゆえ消費電力も高い。よって省電力モード中には、ネットワークＣＰＵをスタンバイモードにするか、もしくは電力供給を行わないようにすると共に、省電力モードにおいても自装置に対するネットワーク上のパケットを処理するためにより消費電力が小さいネットワーク用サブＣＰＵやそれに相当するデバイスを用いて実現される。
【０００４】
省電力モードから通常状態の復帰要因としては前記の特定ネットワークパケットの受信やＦＡＸ受信、キー操作、予約されたジョブ等が挙げられる。予約されたジョブとは例えば指定された時刻にＦＡＸ送信を行う時刻指定操作等がある。従来使用されるサブＣＰＵは低機能のものが多く、サブＣＰＵ単体で指定時刻に処理を行うといった処理が困難の場合が多い。よって省電力モード中においても予約されたジョブで起動するためには、タイマ機能を持つＲＴＣ（Ｒｅａｌ  Ｔｉｍｅ  Ｃｌｏｃｋ）を用いられる場合がある。
【０００５】
例えば、特許文献１の技術では、省電力モード（省電力状態）では、ネットワーク（ＰＨＹ）の電源が落とされている。そして、ＲＴＣは、収集開始時刻になると、省電力コントローラに割り込み信号を出力し、省電力信号に基づいてネットワーク（ＰＨＹ）の電源がＯＮにされる。
【先行技術文献】
【特許文献】
【０００６】
【特許文献１】特開２０１０−１６５１０８号公報
【発明の概要】
【発明が解決しようとする課題】
【０００７】
しかしながら、省電力モード中においては少なくともサブＣＰＵとネットワーク用サブＣＰＵに対して電力供給が必要となるが、殊にほとんどネットワークが使用されないことが想定される休日や夜間の状況下においては、ネットワークパケットに対する処理はない。このためこのような状況下においては前記の省電力モードにおけるネットワーク用サブＣＰＵに対する供給電力は無駄なものとなってしまう。
【０００８】
そこで、本発明は、このような状況に鑑みてなされたものであり、適切タイミングで電力モードをコントロールすることができ、ユーザへの利便性と省電力性とを両立させることができる画像処理装置を提供することを目的とする。
【課題を解決するための手段】
【０００９】
上記目的を達成するために、本発明の一形態に係る画像処理装置は、ネットワークに接続されるネットワーク制御部と、前記ネットワーク制御部を制御するメイン制御部と、予め設定された時刻情報を記憶し、かつ、時刻を計測し、記憶した前記時刻情報と計測した時刻とを比較して当該比較に結果に基づいて電力モードの移行のトリガーとなる移行指令を出力する時計回路部と、移行すべき電力モードを示す移行情報を記憶し、前記移行指令を前記時計回路部から検知するサブ制御部と、前記メイン制御部への電源の供給を停止する第一省電力モードと、前記メイン制御部および前記ネットワーク制御部への電力の供給を停止する第二省電力モードとを切り替えるモード切替部とを備え、前記メイン制御部は、前記第一省電力モードに移行する時に、前記移行情報を前記サブ制御部に送信し、前記時計回路部は、前記比較に基づいて現在時刻が前記時刻情報で指定される時刻になったと判定した場合に、前記移行指令を前記サブ制御部に送信し、前記サブ制御部は、前記第一省電力モードの間において前記移行指令を検知した場合に、前記移行情報に応じて、前記第一省電力モードから通常モードへの移行と、前記第一省電力モードから前記第二省電力モードへの移行とを前記モード切替部に切り替えさせることにより選択的に制御し、前記メイン制御部は、時刻が指定された予約ジョブがある場合には、通常モードへの移行を示す通常移行情報を前記サブ制御部に設定し、かつ、前記予約ジョブにより指定される時刻情報を前記時計回路部に設定し、時刻が予定された予約ジョブがない場合には、前記第二省電力モードへの移行を示す第二省電力移行情報を前記サブ制御部に設定し、かつ、予め設定された前記第二省電力モードへの移行時刻情報を前記時計回路部に設定する。
【００１０】
これによれば、休日や夜間などネットワークでの通信が行われない環境の時刻が予め設定されており、当該時刻になれば、第一省電力モードから第一省電力モードより消費電力が小さい第二省電力モードへ移行し、ネットワーク制御への通電をオフにして、消費電力を抑えることができる。
【００１２】
また、さらに、ファクシミリ呼出信号を検出するファクシミリ通信部を備え、前記ファクシミリ通信部は、前記第一省電力モードおよび前記第二省電力モードにおいても電源が供給され、前記サブ制御部は、前記ファクシミリ通信部が検出するファクシミリ呼出信号が前記サブ制御部に入力された場合に、前記メイン制御部を前記通常モードに復帰させることが好ましい。
【００１３】
また、さらに、前記第一省電力モードおよび前記第二省電力モードのいずれにおいても、電力が供給されるキー操作部を備え、前記サブ制御部は、ユーザにより前記キー操作部からのキー操作信号が前記サブ制御部に入力された場合に、前記メイン制御部を前記通常モードに復帰させることが好ましい。
【００１４】
これによれば、予約ジョブ（例えば、時刻指定ファクシミリ送信）がある場合には、設定された時刻になれば、通常モードに移行し、予約ジョブを実行できる。また、ファクシミリ呼出信号の受信またはキー操作部のキー操作があれば、第二省電力モードから通常モードへ復帰できる。
【００１５】
また、本発明は、このような画像処理装置として実現できるだけでなく、画像処理装置が備える特徴的な処理部のそれぞれの動作をステップとして方法として実現することもでき、また、本発明は、各処理部の処理を行う集積回路として実現することもできる。さらに、本発明は、コンピュータに上記各ステップを実行させるためのプログラムとして実現することもできる。そのようなプログラムは、ＣＤ−ＲＯＭ等の記録媒体またはインターネット等の伝送媒体を介して配信することもできる。
【発明の効果】
【００１６】
本発明に係る画像処理装置によれば、予め設定された時刻になれば第一省電力モードよりも消費電力が小さい第二省電力モードに移行させることができ、消費電力を低減させることができる。
【図面の簡単な説明】
【００１７】
【図１】本発明の一実施形態に係る画像処理装置を含む情報処理システムの構成の一例を示す図である。
【図２】本実施の形態に係るネットワーク複合機のハードウェア構成を示すブロック図である。
【図３】本実施の形態に係る画像処理装置の機能構成を示すブロック図である。
【図４】本実施の形態に係る画像処理装置の電力モード移行処理の処理手順を示すフローチャートである。
【発明を実施するための形態】
【００１８】
以下、本発明の実施の形態について、図面を用いて詳細に説明する。
【００１９】
まず、図１を用いて、本発明の一実施形態に係る画像処理装置の構成の概要について説明する。
【００２０】
図１は、本発明の一実施形態に係る画像処理装置１００を含む情報処理システム２００の構成の一例を示す図である。
【００２１】
同図に示すように、このワークフローシステムは、ネットワーク複合機１および２、情報端末３および４、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）５、並びにＬＡＮ（Ｌｏｃａｌ  Ａｒｅａ  Ｎｅｔｗｏｒｋ）６から構成される。
【００２２】
情報端末３、４は、本実施の形態における情報処理装置として機能するコンピュータである。情報端末３、４は、本実施の形態では、ネットワーク複合機１、２を利用するユーザが使用するパーソナルコンピュータである。
【００２３】
ネットワーク複合機１は、スキャナで読み取った書類を、例えば、ＰＳＴＮ５を介してネットワーク複合機２へファクシミリ送信すること、ＬＡＮ６を介して情報端末３および４へ送信すること、内蔵されるプリンタでプリントアウトすること等ができる。
【００２４】
図２は、本実施の形態に係るネットワーク複合機１のハードウェア構成を示すブロック図である。
【００２５】
同図に示すように、ネットワーク複合機１は、メインＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）１１、ＲＯＭ（Ｒｅａｄ  Ｏｎｌｙ  Ｍｅｍｏｒｙ）１２、システムＬＳＩ（Ｌａｒｇｅ  Ｓｃａｌｅ  Ｉｎｔｅｇｒａｔｉｏｎ）１３、モデム１４、ネットワークＣＰＵ１５、サブネットワークＣＰＵ１６、ＰＨＹ（物理層）１７、電源制御部１８、サブＣＰＵ１９、ＲＴＣ２０、スキャナ部２１、プリンタ部２２、ＮＣＵ（Ｎｅｔｗｏｒｋ  Ｃｏｎｔｒｏｌ  Ｕｎｉｔ）２３、および操作パネル２４を備えている。
【００２６】
メインＣＰＵ１０は、ＲＯＭ１２に格納された制御プログラムを実行することにより、ネットワーク複合機１の全体を制御する。
【００２７】
ＲＡＭ１１は、ＣＰＵ１０が制御プログラムを実行する際に用いられるワークデータ、およびスキャナ部２１から得られた画像データ等を保持する読み書き可能なメモリである。
【００２８】
ＲＯＭ１２は、ＣＰＵ１０が実行する制御プログラムを保持する読み出し専用メモリである。
【００２９】
システムＬＳＩ１３は、メインＣＰＵ１０、ＲＡＭ１１、およびＲＯＭ１２と、ネットワークＣＰＵ１５、スキャナ部２１、およびプリンタ部２２との間のデータの送受信を管理する。
【００３０】
モデム１４は、ＲＡＭ１１に保持された画像データ等をファクシミリ信号に変調して送信し、また外部から受信されたファクシミリ信号をラインデータに復調する。モデム１４は、例えばＧ３規格に準拠したファックスモデムである。
【００３１】
ネットワークＣＰＵ１５は、ＬＡＮＩ／Ｆ等のネットワークＩ／Ｆと接続され、主にネットワークからのパケット処理を行うＣＰＵである。
【００３２】
サブネットワークＣＰＵ１６は、省電力状態においてネットワーク上のパケット処理を行う、ネットワークＣＰＵよりも消費電力の少ないＣＰＵである。
【００３３】
ＰＨＹ１７は、本実施形態では、Ｅｔｈｅｒｎｅｔ（登録商標）規格のＬＡＮＩ／Ｆであって、ネットワーク複合機１とＬＡＮとを接続する通信アダプタである。
【００３４】
電源制御部１８は、サブＣＰＵ１９の制御下で、各機器への電源供給のＯＮ／ＯＦＦを行う。電源制御部１８は、サブＣＰＵ１９の指令に基づいて、電力モードとしてオフモードと、スリープモードと、通常モードとを切り替える。オフモードは、ＶＣＣ１電源端子からの電力をサブＣＰＵ１９のみに供給する電力モードである。スリープモードは、ＶＣＣ１電源端子にＶＣＣ２電源端子を接続することにより、サブＣＰＵ１９に加えて、サブネットワークＣＰＵ１６と、ＰＨＹ１７とに電源供給する電力モードである。通常モードは、スリープモードにさらにＶＣＣ１電源端子にＶＣＣ３電源端子を接続することにより、サブＣＰＵ１９、サブネットワークＣＰＵ１６、およびＰＨＹ１７に加えて、メインＣＰＵ１０、ＲＡＭ１１、ＲＯＭ１２、システムＬＳＩ１３、モデム１４、およびネットワークＣＰＵ１５に電源供給する電力モードである。なお、スリープモードは、第一省電力モードであり、オフモードはスリープモードよりも電力消費量の少ない第二省電力モードである。
【００３５】
サブＣＰＵ１９は、電源制御部１８に指令を出して、機器全体の電源制御を行う。つまり、電力モードの切替を電源制御部１８に行わせる。この電源制御についての詳細は、後述する。
【００３６】
ＲＴＣ２０は、予め設定された時刻（以下、「設定時刻」という）を記憶しており、時刻を計測することにより、計測した時刻が設定時刻になると、サブＣＰＵ１９に対してタイマ割込信号を出力する。
【００３７】
スキャナ部２１は、画像読み取り装置であり、ＣＰＵ１０の制御下で、ＣＣＤを用いて原稿を光学的に読み取ることによって画像データを生成する。
【００３８】
プリンタ部２２は、印刷装置であり、ＣＰＵ１０の制御下で、例えばＲＡＭ１１に保持された画像データによって表される画像イメージを印刷出力する。
【００３９】
ＮＣＵ２３は、モデム１４とＰＳＴＮ５との接続を制御する網制御装置である。
【００４０】
操作パネル２４は、ユーザからの操作を受け付けるタッチパネルである。また、操作パネル２４では、ユーザへの操作ガイド、またはネットワーク複合機１の動作状態を表示する表示装置が含まれており、例えばＬＣＤ（Ｌｉｑｕｉｄ  Ｃｒｙｓｔａｌ  Ｄｉｓｐｌａｙ：液晶表示装置）である。
【００４１】
図３は、本実施の形態に係る画像処理装置１００の電力モード移行処理に係る機能構成を示すブロック図である。つまり、図３は、図２に示されるハードウェア構成によって発揮されるネットワーク複合機１の機能のうち、主に本実施の形態の電力モード移行処理に関わる機能の構成を示すブロック図である。
【００４２】
画像処理装置１００は、機能的には、メイン制御部３０と、時計回路部３２と、ネットワーク制御部３３と、電力モード切替部３６と、サブ制御部３７と、キー操作部３８と、ファクシミリ通信部３９とから構成される。
【００４３】
メイン制御部３０は、図２におけるメインＣＰＵ１０、ＲＡＭ１１、ＲＯＭ１２、システムＬＳＩ１３等によって実現される処理部である。メイン制御部３０は、ネットワーク制御部３３を制御する。メイン制御部３０はまた、第一省電力モード（スリープモード）に移行する時に、移行すべき電力モードを示す移行情報をサブ制御部３７に送信する。
【００４４】
時計回路部３２は、図２におけるＲＴＣ２０によって実現される処理部である。時計回路部３２は、予め設定された時刻情報を記憶し、かつ、時刻を計測する。そして、時計回路部３２は、記憶した時刻情報と計測した時刻とを比較し、当該比較に結果に基づいて電力モードの移行のトリガーとなる移行指令をサブ制御部３７に出力する。より具体的には、時計回路部３２は、比較に基づいて現在時刻が時刻情報で指定される時刻になったと判定した場合に、移行指令をサブ制御部３７に送信する。
【００４５】
ネットワーク制御部３３は、図２におけるネットワークＣＰＵ１５、サブネットワークＣＰＵ１６、ＰＨＹ１７等によって実現される処理部である。ネットワーク制御部３３は、ネットワークに接続され、外部の機器とネットワークを介してデータを送受信する。
【００４６】
電力モード切替部３６は、図２における電源制御部１８によって実現される。電力モード切替部３６は、メイン制御部３０への電源の供給を停止する第一省電力モード（スリープモード）と、メイン制御部３０およびネットワーク制御部３３への電力の供給を停止する第二省電力モード（オフモード）とを切り替える。
【００４７】
サブ制御部３７は、図２におけるサブＣＰＵ１９等によって実現される処理部である。サブ制御部３７は、移行すべき電力モードを示す移行情報を記憶し、移行指令を時計回路部から検知する。サブ制御部３７は、第一省電力モード（スリープモード）の間において移行指令を時計回路部３２から検知した場合に、移行情報に応じて通常モードへの移行と、第二省電力モード（オフモード）への移行とを選択的に制御する。
【００４８】
キー操作部３８は、図２における操作パネル２４によって実現される。キー操作部３８は、第一省電力モード（スリープモード）および第二省電力モード（オフモード）のいずれにおいても、電力が供給される。キー操作部３８からのキー操作信号がサブ制御部３７に入力された場合に、サブ制御部３７によってメイン制御部３０が通常モードに復帰される。
【００４９】
ファクシミリ通信部３９は、図２における、モデム１４およびＮＣＵ２３等によって実現される。ファクシミリ通信部３９は、ファクシミリ呼出信号を検出する。ファクシミリ通信部３９は、第一省電力モード（スリープモード）および第二省電力モード（オフモード）においても電源が供給される。ファクシミリ通信部３９が検出するファクシミリ呼出信号がサブ制御部３７に入力された場合に、メイン制御部３０がサブ制御部３７により通常モードに復帰される。
【００５０】
次に、以上のように構成された本実施の形態に係る画像処理装置１００による復帰処理の処理手順について説明する。
【００５１】
図４は、本実施の形態に係る画像処理装置１００の電力モード移行処理に係る処理手順を示すフローチャートである。電力モード移行処理では、既に第一省電力モードであるスリープモードの状態からの移行についてのみ記載する。スリープモードへの移行は、通常モードにおいて、ユーザが操作パネル２４を操作せず、かつ、所定時間ＦＡＸ等のデータを受信しない状態が所定時間（例えば１時間）続いた場合、ユーザの操作により省電力モードに設定された場合などに行われる。
【００５２】
メイン制御部３０は、スリープモードに移行する時に、移行すべき電力モードを示す移行情報をサブ制御部３７に送信し、電力モードを移行する時刻を時計回路部３２に送信する（Ｓ１１）。メイン制御部３０は、時刻が指定された予約ジョブがユーザによって設定されている場合には、通常モードへの移行を示す通常移行情報をサブ制御部３７に設定し、かつ、予約ジョブにより指定される時刻情報を時計回路部３２に設定する。メイン制御部３０はまた、時刻が予定された予約ジョブがない場合には、第二省電力モード（オフモード）への移行を示す第二省電力移行情報をサブ制御部３７に設定し、かつ、予め設定された第二省電力モード（オフモード）への移行時刻情報を時計回路部３２に設定する。
【００５３】
時計回路部３２は、予約ジョブにより指定される指定時刻情報またはオフモードへの移行時刻情報と計測した時刻とを比較して、現在時刻が指定時刻情報または移行時刻情報であるか否かを判定する（Ｓ１２）。
【００５４】
現在時刻が指定時刻情報または移行時刻情報になったと時計回路部３２が判定した場合（Ｓ１２：Ｙｅｓ）に、移行指令をサブ制御部３７に送信する（Ｓ１３）。
【００５５】
現在時刻が指定時刻情報または移行時刻情報になっていなかったと時計回路部３２が判定した場合（Ｓ１２：Ｎｏ）に、ステップＳ１２に戻る。
【００５６】
サブ制御部３７は、メイン制御部３０により設定された移行情報が、通常移行情報であるか、第二省電力移行情報であるかを判定する（Ｓ１４）。
【００５７】
サブ制御部３７に設定された移行情報が通常移行情報である場合に、電力モードをスリープモードから通常モードへ移行して、電力モード移行処理を終了する（Ｓ１５）。
【００５８】
サブ制御部３７に設定された移行情報が第二省電力移行情報である場合に、電力モードをスリープモードからオフモードへ移行して、電力モード移行処理を終了する（Ｓ１６）。
【００５９】
なお、電力モードがスリープモードまたはオフモードである場合において、ファクシミリ通信部３９がファクシミリ呼出信号を検出したとき、サブ制御部３７によりスリープモードまたはオフモードから通常モードへ電力モードの移行が行われる。つまり、メイン制御部３０に電力が供給されるようになる。
【００６０】
また、同じく電力モードがスリープモードまたはオフモードである場合において、ユーザによりキー操作部３８のキー操作信号がサブ制御部３７に入力されたとき、サブ制御部３７によりスリープモードまたはオフモードから通常モードへ電力モードの移行が行われる。
【００６１】
具体的には、オフモードへの移行時刻情報が平日の２２時に設定されており、通常モードへの移行時刻情報が平日の８時に設定されているとする。この場合に、電力モードがスリープモードであれば、事前にメイン制御部３０がスリープモードに移行する際にサブ制御部３７に、当該スリープモードの次に移行すべき電力モードを移行情報として通知している。例えば、現在時刻が２１時である場合にメイン制御部３０が次に移行すべき電力モードの移行情報として予め設定されている第二省電力移行情報をサブ制御部３７に通知する。そして、時計回路部は、平日の２２時になるとサブ制御部３７に移行指令を送信し、移行指令を受け取ったサブ制御部３７は移行指令をトリガーとして電力モードの移行を行う。このときサブ制御部３７は、予めメイン制御部３０により受信した第二省電力移行情報に基づいて電力モードの移行を行うため、スリープモードから通常モードへの移行が行われることになる。
【００６２】
以上のように本実施形態の画像処理装置１００によれば、休日や夜間などネットワークでの通信が行われない環境の時刻が予め設定されており、当該時刻になれば、スリープモードからスリープモードより消費電力が小さいオフモードへ電力モードの移行が行われる。このため、休日や夜間に使用されないネットワーク制御部３３への通電をオフにすることができ、消費電力を抑えることができる。
【００６３】
また、本実施形態の画像処理装置１００によれば、これによれば、予約ジョブ（例えば、時刻指定ファクシミリ送信）がある場合には、設定された時刻になれば、通常モードに移行し、予約ジョブを実行できる。また、ファクシミリ呼出信号の受信またはユーザによるキー操作部３８のキー操作があれば、第二省電力モードから通常モードへ復帰できる。このように、画像処理装置１００の処理が必要な場合にはそのことを検知して、自動的にオフモードから通常モードへ復帰するため、適切なタイミングで画像処理装置１００に処理を行わせることができる。このため、適切タイミングで画像処理装置１００の電力モードをコントロールすることができ、ユーザへの利便性と省電力性とを両立させることができる。
【００６４】
また、本発明は、このような画像処理装置として実現できるだけでなく、画像処理装置が備える特徴的な処理部のそれぞれの動作をステップとして方法として実現することもでき、また、本発明は、各処理部の処理を行う集積回路として実現することもできる。さらに、本発明は、コンピュータに上記各ステップを実行させるためのプログラムとして実現することもできる。そのようなプログラムは、ＣＤ−ＲＯＭ等の記録媒体またはインターネット等の伝送媒体を介して配信することもできる。
【００６５】
以上、本発明に係る情報処理システムについて、実施の形態に基づいて説明したが、本発明は、この実施の形態に限定されるものではない。
【００６６】
つまり、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６７】
本発明は、適切タイミングで電力モードをコントロールすることができ、ユーザへの利便性と省電力性とを両立させることができる画像処理装置として利用することができる。
【符号の説明】
【００６８】
１、２  ネットワーク複合機
３、４  情報端末
５  ＰＳＴＮ
６  ＬＡＮ
１０  メインＣＰＵ
１１  ＲＡＭ
１２  ＲＯＭ
１３  システムＬＳＩ
１４  モデム
１５  ネットワークＣＰＵ
１６  サブネットワークＣＰＵ
１７  ＰＨＹ
１８  電源制御部
１９  サブＣＰＵ
２０  ＲＴＣ
２１  スキャナ部
２２  プリンタ部
２３  ＮＣＵ
２４  操作パネル
３０  メイン制御部
３２  時計回路部
３３  ネットワーク制御部
３６  電力モード切替部
３７  サブ制御部
３８  キー操作部
３９  ファクシミリ通信部
【図１】
0005796374.tif 000002
【図２】
0005796374.tif 000003
【図３】
0005796374.tif 000004
【図４】
0005796374.tif 000005